(57)【要約】【課題】日差しを必要以上に遮ることなく、突出長さを長くすることが可能な庇構造を提供することを目的とする。【解決手段】開口部１ａ，１ｂが形成された外壁パネル１の上端面に床パネル２が水平に設置されるとともに、この床パネル２の端部が外壁パネル１の外側面よりも前方に所定の長さ突出しており、この突出部分は建物の勾配屋根５の傾斜方向の下端部と結合しており、この突出部分のうち、勾配屋根５の下端部と結合する部分よりも前方に突出した部分が庇部３とされていることを特徴とする庇構造。これにより、この庇部によって開口部への日差しを必要以上に遮ることを防ぐことができ、開口部から建物内部へと打ち込む雨水の量や、地面から建物側に跳ね返る雨水や泥の量が少なくなり、勾配屋根の表面を滑り落ちる雪の重みにも十分に耐えることができる。【選択図】図１
2010126939.tif 000002
【特許請求の範囲】
【請求項１】
開口部が形成された外壁パネルの上端面に床パネルが水平に設置されるとともに、この床パネルの端部が前記外壁パネルの外側面よりも前方に所定の長さ突出しており、
この突出部分は建物の勾配屋根の傾斜方向の下端部と結合しており、
この突出部分のうち、前記勾配屋根の下端部と結合する部分よりも前方に突出した部分が庇部とされていることを特徴とする庇構造。
【請求項２】
請求項１に記載の庇構造において、
前記床パネルの突出部分のうち、前記勾配屋根の下端部と結合する部分よりも建物側の部分が軒天井部とされており、
この軒天井部には、この軒天井部と前記勾配屋根との間の軒天裏空間と屋外とを連通する連通孔が形成されていることを特徴とする庇構造。
【請求項３】
請求項２に記載の庇構造において、
前記外壁パネルの横方向両端部には、この外壁パネルと直交するとともに、互いに対向する袖壁がそれぞれ連結されており、これら対向する袖壁間に前記軒天井部が架設されていることを特徴とする庇構造。
【請求項４】
請求項２または３に記載の庇構造において、
前記対向する袖壁間に、上端面が前記外壁パネルの上端面と略等しい高さに位置する梁材が架設されており、この梁材によって前記軒天井部が支持されていることを特徴とする庇構造。
【請求項５】
請求項１〜４のいずれか一項に記載の庇構造において、
前記庇部には、この庇部上の雨水等を排水するための排水手段が設けられており、
この排水手段は、前記庇部の上面の長さ方向に沿って、かつ該庇部の上面の上方に配置されるとともに、該庇部の突端側および建物側のそれぞれから庇部の中央に向かうにつれて下方に傾斜する傾斜板部と、
これら双方の傾斜板部の傾斜方向下端部と前記庇部の上面との間に設けられる溝壁とによって前記庇部の中央に形成される凹溝部と、
上端部が前記凹溝部に接続されるとともに、下端部が地面近傍に位置する竪樋とを備えていることを特徴とする庇構造。
【請求項６】
請求項１〜５のいずれか一項に記載の庇構造において、
前記勾配屋根の両側縁部に、この勾配屋根の傾斜方向に沿ってパラペット壁が立設されており、これらパラペット壁は前記庇部の上面と結合していることを特徴とする庇構造。
【発明の詳細な説明】
【技術分野】
【０００１】
本発明は、住宅等の建物の庇構造に関する。
【背景技術】
【０００２】
住宅等の建物を建築する際に、屋根の傾斜方向の下端部を外壁よりも突出させて軒の出を形成することが知られている。
しかし、軒の出が大きいと、外壁に設けられた窓に覆いかぶさるような状態となり、必要以上に日差しを遮ってしまう場合があるため、近年では、軒の出を小さくしたり、ほとんどない状態にした建物が開発されている（例えば、特許文献１参照）。
【特許文献１】特開２００８−００２２２７号公報
【発明の開示】
【発明が解決しようとする課題】
【０００３】
ところが、特許文献１のように軒の出があまりに小さい場合、例えば雨の日に窓を開けると、多くの雨水が窓から建物内部に直接打ち込みやすくなり、窓が１階の地面に近い位置にあると、地面から跳ね返った多くの雨水や泥が窓から建物内部に浸入しやすくなってしまうという問題がある。そこで、特に、窓等の開口部の上方に、建物の外壁よりも外部に突出する庇を設けたいという要望がある。
しかしながら、この庇が屋根の傾斜方向に沿って配設されるものであれば、窓に覆いかぶさるので、従来と同じく必要以上に日差しを遮ってしまう場合がある。また、従来のような雨水や泥の浸入を防ぐために、この庇の外壁からの突出長さを長くしたいという要望があるが、この庇を、単に外壁に固定するだけでは雪の重みなどに耐えられないという問題がある。
【０００４】
本発明の課題は、日差しを必要以上に遮ることなく、突出長さを長くすることが可能な庇構造を提供することを目的とする。
【課題を解決するための手段】
【０００５】
請求項１に記載の発明は、庇構造であって、例えば図１〜図６に示すように、開口部１ａ，１ｂが形成された外壁パネル１の上端面に床パネル２が水平に設置されるとともに、この床パネル２の端部が前記外壁パネル１の外側面よりも前方に所定の長さ突出しており、
この突出部分は建物の勾配屋根５の傾斜方向の下端部と結合しており、
この突出部分のうち、前記勾配屋根５の下端部と結合する部分よりも前方に突出した部分が庇部３とされていることを特徴とする。
【０００６】
請求項１に記載の発明によれば、前記外壁パネル１の上端面に水平に設置された床パネル２の突出部分のうち、前記勾配屋根５の下端部と結合する部分よりも前方に突出した部分が庇部３とされているので、例えば、前記勾配屋根５の傾斜方向に沿って庇部を配設する場合に比して、この庇部３によって前記開口部１ａ，１ｂへの日差しを必要以上に遮ることを防ぐことができる。
さらに、この庇部３を前記勾配屋根５よりも屋外側に突出させることができるので、従来に比して、この庇部３の前記外壁パネル１の外側面からの突出長さを長くすることができる。これによって、前記開口部１ａ，１ｂから建物内部へと打ち込む雨水の量や、地面から建物側に跳ね返る雨水や泥の量が少なくなるので、雨仕舞を向上させることが可能となる。
また、前記庇部３は、前記床パネル２を前記外壁パネル１の上端面に水平に設置するとともに、端部を前記外壁パネル１の外側面よりも前方に所定の長さ突出させることで形成されるので、例えば外壁パネル１の外側面に庇部を固定する場合に比して、前記勾配屋根５の表面を滑り落ちる雪の重みにも十分に耐えることができる。
【０００７】
請求項２に記載の発明は、例えば図３に示すように、請求項１に記載の庇構造において、
前記床パネル２の突出部分のうち、前記勾配屋根５の下端部と結合する部分よりも建物側の部分が軒天井部４とされており、
この軒天井部４には、この軒天井部４と前記勾配屋根５との間の軒天裏空間と屋外とを連通する連通孔が形成されていることを特徴とする。
【０００８】
請求項２に記載の発明によれば、前記軒天井部４に、前記連通孔が形成されているので、この連通孔を介して、前記軒天裏空間の換気を行うことができる。
また、例えば、前記外壁パネル１の開口部１ａ，１ｂの前方に、簾等の日除け用の覆いを設けたいという要望があった際に、この連通孔を、日除け用の覆いを取り付けるフック等の取付金具等を設けるために利用することもできるので、好ましい。
【０００９】
請求項３に記載の発明は、例えば図２〜図４に示すように、請求項２に記載の庇構造において、
前記外壁パネル１の横方向両端部には、この外壁パネル１と直交するとともに、互いに対向する袖壁６，６がそれぞれ連結されており、これら対向する袖壁６，６間に前記軒天井部４が架設されていることを特徴とする。
【００１０】
請求項３に記載の発明によれば、前記対向する袖壁６，６間に前記軒天井部４が架設されていることから、この軒天井部４と連続する前記庇部３は、この庇部３の突出方向と直交する方向の長さが、前記外壁パネル１の横方向の長さと略等しくなるので、前記外壁パネル側の間口に対する前記庇部３の大きさを大きくすることができる。
また、前記対向する袖壁６，６によって、前記軒天井部４を、延いては前記床パネル２の突出方向と直交する方向の両端部を支持することができるので、例えば外壁パネル１の外側面に庇部を固定する場合に比して、前記勾配屋根５の表面を滑り落ちる雪の重みにも、より十分に耐えることができる。
【００１１】
請求項４に記載の発明は、例えば図３に示すように、請求項２または３に記載の庇構造において、
前記対向する袖壁６，６間に、上端面が前記外壁パネル１の上端面と略等しい高さに位置する梁材７が架設されており、この梁材７によって前記軒天井部４が支持されていることを特徴とする。
【００１２】
請求項４に記載の発明によれば、前記梁材７によって前記軒天井部４が支持されているので、この梁材７によって、前記軒天井部４を、延いては前記床パネル２の突出部分を支持することができる。また、この梁材７は前記対向する袖壁６，６間の長さを有することになり、前記床パネル２の突出部分の両端部だけでなく、中央部分も支持することができるので、この床パネル２の中央部分の撓みを防ぐことができる。
【００１３】
請求項５に記載の発明は、例えば図３および図４に示すように、請求項１〜４のいずれか一項に記載の庇構造において、
前記庇部３には、この庇部３上の雨水等を排水するための排水手段が設けられており、
この排水手段は、前記庇部３の上面の長さ方向に沿って、かつ該庇部３の上面の上方に配置されるとともに、該庇部３の突端側および建物側のそれぞれから庇部３の中央に向かうにつれて下方に傾斜する傾斜板部８，８と、
これら双方の傾斜板部８，８の傾斜方向下端部と前記庇部３の上面との間に設けられる溝壁９ａ，９ａとによって前記庇部３の中央に形成される凹溝部９と、
上端部が前記凹溝部９に接続されるとともに、下端部が地面近傍に位置する竪樋１０とを備えていることを特徴とする。
【００１４】
請求項５に記載の発明によれば、前記庇部３の上面に降り注いだ雨が、前記庇部３の中央に向かうにつれて下方に傾斜する傾斜板部８，８を流れて、前記庇部３の中央に形成される凹溝部９に流れ込み、この凹溝部９内の雨水が前記竪樋１０を通じて地面へと排出されることとなる。したがって、前記庇部３の上面に降り注いだ雨を、前記庇部３の周縁部から地面へと落とさずに、前記竪樋１０を通じて地面へと排水することができるので、地面から建物側に跳ね返る雨水や泥の量を少なくすることができ、雨仕舞をより向上させることができる。
【００１５】
請求項６に記載の発明は、例えば図５および図６に示すように、請求項１〜５のいずれか一項に記載の庇構造において、
前記勾配屋根５の両側縁部に、この勾配屋根５の傾斜方向に沿ってパラペット壁１１，１１が立設されており、これらパラペット壁１１，１１は前記庇部３の上面と結合していることを特徴とする。
【００１６】
請求項６に記載の発明によれば、前記勾配屋根５の両側縁部に、この勾配屋根５の傾斜方向に沿ってパラペット壁１１，１１が立設されており、これらパラペット壁１１，１１は前記庇部３の上面と結合しているので、前記勾配屋根５の表面を流れる雨水が、この勾配屋根５の傾斜方向と直交する方向の両端部から地面へと流れ落ちることを防ぐことができるとともに、この勾配屋根５の傾斜方向の下端部側へと誘導することができる。
このように前記勾配屋根５の表面を流れる雨水を、この勾配屋根５の傾斜方向と直交する方向の両端部から地面へと落とさずに済むので、この勾配屋根５の傾斜方向と直交する方向の両端部側に位置する建物の外壁側に跳ね返る雨水や泥の量を少なくすることができ、雨仕舞をさらに向上させることができる。
【発明の効果】
【００１７】
本発明によれば、開口部が形成された外壁パネルの上端面に水平に設置された床パネルの突出部分のうち、勾配屋根の下端部と結合する部分よりも前方に突出した部分が庇部とされているので、例えば、勾配屋根の傾斜方向に沿って庇部を配設する場合に比して、この庇部によって開口部への日差しを必要以上に遮ることを防ぐことができる。
さらに、この庇部を勾配屋根よりも屋外側に突出させることができるので、従来に比して、この庇部の外壁パネルの外側面からの突出長さを長くすることができる。これによって、開口部から建物内部へと打ち込む雨水の量や、地面から建物側に跳ね返る雨水や泥の量が少なくなるので、雨仕舞を向上させることが可能となる。
また、庇部は、床パネルを外壁パネルの上端面に水平に設置するとともに、端部を外壁パネルの外側面よりも前方に所定の長さ突出させることで形成されるので、例えば外壁パネルの外側面に庇部を固定する場合に比して、勾配屋根の表面を滑り落ちる雪の重みにも十分に耐えることができる。
【発明を実施するための最良の形態】
【００１８】
以下、図面を参照して本発明の実施の形態について説明する。
【００１９】
本実施の形態の庇構造は、図１〜図６に示すように、開口部１ａ，１ｂが形成された外壁パネル１の上端面に床パネル２が水平に設置されるとともに、この床パネル２の端部が前記外壁パネル１の外側面よりも前方に所定の長さ突出しており、この突出部分は建物の勾配屋根５の傾斜方向の下端部と結合しており、この突出部分のうち、前記勾配屋根５の下端部と結合する部分よりも前方に突出した部分が庇部３とされている。
【００２０】
なお、本実施の形態の庇構造を備える建物は、壁や床、屋根といった建物の構成要素を予め工場にてパネル化しておき、施工現場でこれらのパネルを組み立てて構築するパネル工法で構築されている。
また、このパネルとは、図示はしないが、縦横の框材が矩形状に組み立てられるとともに、矩形枠の内部に補助桟材が縦横に組み付けられて枠体が構成され、この枠体の両面もしくは片面に、面材が貼設されたものであり、内部中空な構造となっている。さらに、その内部中空な部分には、通常、グラスウールやロックウール等の断熱材が装填されるものである。
【００２１】
ここで、前記外壁パネル１は、図１〜図３に示すように、前記勾配屋根５の傾斜方向の下端部側に、この勾配屋根５の傾斜方向と直交する方向に配置されるものであり、建物の１階の床パネル１３上に立設されている。また、この外壁パネル１は、複数のパネルを連結して大型化したものである。
【００２２】
また、本実施の形態において、この外壁パネル１は、図２に示すように、開口部１ａと開口部１ｂとを備えている。
前記開口部１ａは、部屋と屋外とを連通するものであり、窓サッシが取り付けられている。一方、前記開口部１ｂは、玄関と屋外とを連通するものであり、玄関ドアが取り付けられている。
【００２３】
また、前記床パネル２は、建物の２階の床パネルであり、複数のパネルを連結して大型化したものであり、図３に示すように、この大型パネルからなる床パネル２の端部を、前記外壁パネル１の外側面よりも前方に突出させるようにして、前記外壁パネル１の上端面に水平設置されている。
なお、この床パネル２は、前記外壁パネル１だけでなく、この外壁パネル１と直交する方向に配置される他の外壁パネルの上端面にも設置されている。
【００２４】
そして、この床パネル２の突出部分のうち、前記勾配屋根５の下端部と結合する部分よりも前方に突出した部分が前記庇部３とされており、建物側の部分が軒天井部４とされている。すなわち、前記庇部３は、前記勾配屋根５よりも屋外側に突出しており、前記軒天井部４は、前記勾配屋根５の軒先の下部に位置し、この勾配屋根５の裏面を隠している。
【００２５】
また、前記外壁パネル１の横方向両端部には、図２および図４に示すように、この外壁パネル１と直交するとともに、互いに対向する袖壁６，６がそれぞれ連結されており、これら対向する袖壁６，６間に前記軒天井部４が架設されている。
また、前記床パネル２は、これら袖壁６，６の上端面に水平に設置されるようにして、これら対向する袖壁６，６間に架設されている。
なお、これら袖壁６，６は、前記外壁パネル１を始め、建物の外壁パネルと同じく、建物の基礎上に設置されている。また、前記外壁パネル１と同じく、パネルによって構成されている。
【００２６】
そして、このように前記対向する袖壁６，６間に前記軒天井部４が架設されていることから、この軒天井部４と連続する前記庇部３は、この庇部３の突出方向と直交する方向の長さが、前記外壁パネル１の横方向の長さと略等しくなるので、前記外壁パネル側の間口に対する前記庇部３の大きさを大きくすることができる。
また、前記対向する袖壁６，６によって、前記軒天井部４を、延いては前記床パネル２の突出方向と直交する方向の両端部を支持することができるので、例えば外壁パネル１の外側面に庇部を固定する場合に比して、前記勾配屋根５の表面を滑り落ちる雪の重みにも十分に耐えることができる。
【００２７】
さらに、図３に示すように、前記対向する袖壁６，６間に、上端面が前記外壁パネル１の上端面と略等しい高さに位置する梁材７が架設されており、この梁材７によって前記軒天井部４が支持されている。なお、本実施の形態の梁材７は、例えばマグサであるが、これに限られるものではなく、Ｈ形鋼やＩ形鋼を用いた鋼製梁等でもよい。
また、前記床パネル２の突出部分が前記勾配屋根５の下端部と結合する部分の近傍の、該床パネル２の軒天井部４の下面に取り付けられる桟材７ａを介して、前記床パネル２の軒天井部４を支持している。
【００２８】
これにより、この梁材７によって、前記軒天井部４を、延いては前記床パネル２の突出部分を支持することができる。また、この梁材７は前記対向する袖壁６，６間の長さを有することになり、前記床パネル２の突出部分の両端部だけでなく、中央部分も支持することができるので、この床パネル２の中央部分の撓みを防ぐことができる。
【００２９】
前記庇部３は、上述のように前記外壁パネル１の外側面よりも前方に所定の長さ突出するように形成されている。ここで、所定の長さとは、この庇部３によって前記開口部１ａ，１ｂへの日差しを必要以上に遮ることのない長さであるとともに、従来に比して、また、この庇部３がない場合に比して、前記開口部１ａ，１ｂから建物内部へと打ち込む雨水の量や、地面から建物側に跳ね返る雨水や泥の量が少なくなるような長さである。
【００３０】
ここで、この床パネル２が突出する具体的な長さは、前記建物を構築するパネルの基準長さに従うことが望ましい。例えば、パネルを形成する上での基準長さＭを９１０ｍｍとすれば、前記床パネル２が前記外壁パネル１の外側面よりも前方に突出する長さを２Ｍ＝１８２０ｍｍ程度に設定する。また、基準長さＭを１０００ｍｍとすれば、前記床パネル２の突出長さを２Ｍ＝２０００ｍｍ程度に設定する。
なお、この基準長さＭは、パネルを形成する上で用いられるだけでなく、建物を構築する際の基準の長さとしても用いられることになる。
【００３１】
また、本実施の形態の床パネル２が突出する長さの半分の位置には、前記桟材７ａが取り付けられており、この部分は、前記梁材７によって支持されている。また、前記軒天井部４は、前記対向する袖壁６，６によって支持されている。
すなわち、前記床パネル２の突出長さの半分は、前記袖壁６，６と梁材７とによって支持されているので、前記庇部３の部分のみが張り出していることとなる。したがって、以上のように、前記床パネル２突出長さが長く設定されていたとしても、その半分の長さの位置で、前記対向する袖壁６，６および梁材７によって支持されているので、残りの半分、つまり庇部３が長く突出していても十分に支持できることとなる。
【００３２】
一方、本実施の形態の庇部３には、図３および図４に示すように、この庇部３上の雨水等を排水するための排水手段が設けられている。
この排水手段は、前記庇部３の上面の長さ方向に沿って、かつ該庇部３の上面の上方に配置されるとともに、該庇部３の突端側および建物側のそれぞれから庇部３の中央に向かうにつれて下方に傾斜する傾斜板部８，８と、これら双方の傾斜板部８，８の傾斜方向下端部と前記庇部３の上面との間に設けられる溝壁９ａ，９ａとによって前記庇部３の中央に形成される凹溝部９と、上端部が前記凹溝部９に接続されるとともに、下端部が地面近傍に位置する竪樋１０とを備えている。
【００３３】
前記庇部３の突端側の傾斜板部８は、前記溝壁９ａと、前記庇部３の上面の突端側に前記溝壁９ａと対向して設けられる支持壁８ａとの間に架設されている。また、この支持壁８ａは前記溝壁９ａよりも高く形成されることで、該突端側の傾斜板部８が、前記凹溝部９に向かって傾斜している。
さらに、前記庇部３の建物側の傾斜板部８は、前記凹溝部９に向かって傾斜するようにして、前記溝壁９ａと、前記勾配屋根５との間に架設されている。
【００３４】
前記凹溝部９は、前記庇部３の上面と、前記溝壁９ａ，９ａとによって凹状に形成される横樋であり、前記庇部３の上面の長さ方向に沿って形成されている。
また、前記竪樋１０は、上述のように上端部が前記凹溝部９に接続されるとともに、下端部が地面近傍に位置しており、さらに、上部が前記床パネル２を貫通しており、前記床パネル２の庇部３の裏面と、前記袖壁６に沿って設けられている。
【００３５】
このような排水手段によれば、前記庇部３の上面に降り注いだ雨が、前記庇部３の中央に向かうにつれて下方に傾斜する傾斜板部８，８を流れて、前記庇部３の中央に形成される凹溝部９に流れ込み、この凹溝部９内の雨水が前記竪樋１０を通じて地面へと排出されることとなる。したがって、前記庇部３の上面に降り注いだ雨を、前記庇部３の周縁部から地面へと落とさずに、前記竪樋１０を通じて地面へと排水することができるので、地面から建物側に跳ね返る雨水や泥の量を少なくすることができ、雨仕舞を向上させることができる。
【００３６】
また、前記庇部３の下面には、この庇部３の下面を覆う防水のための下面仕上げ材３ａが取り付けられており、前記庇部３の突出方向の端面を覆う防水のための正面仕上げ材３ｂが取り付けられている。
さらに、この庇部３には、防水シートやコーキング材等によって防水処理が施されている。すなわち、前記傾斜板部８，８と溝壁９ａとの継ぎ目や、傾斜板部８と勾配屋根５との継ぎ目等を始めとする各部同士の継ぎ目や、前記凹溝部９の内側面などに防水処理が施されており、前記庇部３を構成する床パネル２が水に濡れないようになっている。
【００３７】
一方、前記軒天井部４には、この軒天井部４と前記勾配屋根５との間の軒天裏空間と屋外とを連通する連通孔が形成されており、この連通孔を介して、前記軒天裏空間の換気を行うことができるようになっている。
また、例えば、前記外壁パネル１の開口部１ａ，１ｂの前方に、簾等の日除け用の覆いを設けたいという要望があった際に、この連通孔を、日除け用の覆いを取り付けるフック等の取付金具等を設けるために利用することもできるので、好ましい。
【００３８】
なお、この軒天井部４に形成される連通孔は、図３に示すように、前記軒天井部４に取り付けられた連通部材４ａが備える孔と、前記床パネル２に形成された孔との位置が重なり合うことで、前記軒天裏空間と屋外とを連通できるようになっている。
また、例えば、前記連通部材４ａにネジ部を形成しておき、前記取付金具とネジ接合できるようにしておいてもよい。
【００３９】
また、前記勾配屋根５は、下端部が前記床パネル２に結合しているとともに、前記外壁パネル１の上方に位置するとともに前記床パネル２上に立設される２階の壁パネル１４上に設置されている。さらに、この勾配屋根５は、図示はしないが、建物の２階の空間を囲む壁パネル上に設置されているものとする。
また、この勾配屋根５の傾斜角度は１／１に設定された切妻屋根であり、比較的急な角度に設定されている。なお、この勾配屋根５の傾斜角度は適宜変更可能である。
【００４０】
さらに、この勾配屋根５の傾斜方向の下端部には、この勾配屋根５の傾斜方向の長さを調整する調整材５ａが取り付けられており、この調整材５ａには、この調整材５ａと前記庇部３の上面とを結合する結合材５ｂが設けられている。
【００４１】
なお、本実施の形態の勾配屋根５には設けられていないが、前記勾配屋根５の両側縁部には、図５および図６に示すように、この勾配屋根５の傾斜方向に沿ってパラペット壁１１，１１を立設するようにしてもよい。これらパラペット壁１１，１１は前記庇部３の上面と結合している。
【００４２】
また、このパラペット壁１１は、図５に示すように、前記勾配屋根５の傾斜方向に沿って長尺な壁本体１１ａと、この壁本体１１ａの上端部に沿って取り付けられる長尺な上端部材１１ｂと、前記壁本体１１ａの傾斜方向下端部の端面に取り付けられるとともに前記パラペット壁１１の傾斜方向下端部に鉛直面を形成する調整材１１ｃと、この調整材１１ｃの鉛直面に取り付けられる端部仕上げ材１１ｃと、この端部仕上げ材１１ｃの上端部と前記上端部材１１ｂとを結合する結合材１１ｅと、この端部仕上げ材１１ｃの下端部と前記庇部３の上面とを結合する結合材１１ｆとを備えている。
【００４３】
このようなパラペット壁１１が、前記勾配屋根５の両側縁部に、この勾配屋根５の傾斜方向に沿って立設されており、前記庇部３の上面と結合しているので、前記勾配屋根５の表面を流れる雨水が、この勾配屋根５の傾斜方向と直交する方向の両端部から地面へと流れ落ちることを防ぐことができるとともに、この勾配屋根５の傾斜方向の下端部側へと誘導することができる。
また、このように前記勾配屋根５の表面を流れる雨水を、この勾配屋根５の傾斜方向と直交する方向の両端部から地面へと落とさずに済むので、この勾配屋根５の傾斜方向と直交する方向の両端部側に位置する建物の外壁側に跳ね返る雨水や泥の量を少なくすることができ、雨仕舞をさらに向上させることができる。
【００４４】
なお、前記勾配屋根５の両側縁部だけでなく、図６に示すように、前記勾配屋根５の傾斜方向下端部に、この勾配屋根５の傾斜方向と直交する方向に配置されるパラペット壁１２を立設するようにしてもよい。
このパラペット壁１２は、前記庇部３の上面と結合しているとともに、前記パラペット壁１１，１１の傾斜方向の下端部間に架設されている。
【００４５】
なお、このようなパラペット壁１２が設けられることによって、このパラペット壁１２と、前記勾配屋根５と、前記勾配屋根５の両側縁部のパラペット壁１１，１１とで囲まれる部分を内樋として利用することができる。また、内樋として利用する際には、図示しない排水手段が設けられるものとする。
【００４６】
なお、図４に示す建物の妻側の外壁の表面や袖壁６表面には、図示はしないが、外壁材や仕上げ材が取り付けられる。また、前記床パネル２の側面にも、前記庇部３に該当する位置に側面仕上げ材３ｃが取り付けられ、軒天井部４よりも建物側の側面には外壁材が取り付けられる。さらに、図５および図６に示すパラペット壁１１，１１の表面にも外壁材が取り付けられるものとする。
【００４７】
本実施の形態によれば、前記外壁パネル１の上端面に水平に設置された床パネル２の突出部分のうち、前記勾配屋根５の下端部と結合する部分よりも前方に突出した部分が庇部３とされているので、例えば、前記勾配屋根５の傾斜方向に沿って庇部を配設する場合に比して、この庇部３によって前記開口部１ａ，１ｂへの日差しを必要以上に遮ることを防ぐことができる。
【００４８】
さらに、この庇部３を前記勾配屋根５よりも屋外側に突出させることができるので、従来に比して、この庇部３の前記外壁パネル１の外側面からの突出長さを長くすることができる。これによって、前記開口部１ａ，１ｂから建物内部へと打ち込む雨水の量や、地面から建物側に跳ね返る雨水や泥の量が少なくなるので、雨仕舞を向上させることが可能となる。
【００４９】
また、前記庇部３は、前記床パネル２を前記外壁パネル１の上端面に水平に設置するとともに、端部を前記外壁パネル１の外側面よりも前方に所定の長さ突出させることで形成されるので、例えば外壁パネル１の外側面に庇部を固定する場合に比して、前記勾配屋根５の表面を滑り落ちる雪の重みにも十分に耐えることができる。
【図面の簡単な説明】
【００５０】
【図１】本発明の庇構造を備える建物を示す側面図である。
【図２】図１に示す建物の１階部分を示す平断面図である。
【図３】本発明の庇構造の要部を示す側断面図である。
【図４】図３に示す庇構造の立面図である。
【図５】勾配屋根の両側縁部にパラペット壁を立設した状態を示す斜視図である。
【図６】勾配屋根の両側縁部と、勾配屋根の下端部の横方向に沿ってパラペット壁を立設した状態を示す斜視図である。
【符号の説明】
【００５１】
１  外壁パネル
１ａ  開口部
１ｂ  開口部
２  床パネル
３  庇部
４  軒天井部
５  勾配屋根
【図１】
2010126939.tif 000003
【図２】
2010126939.tif 000004
【図３】
2010126939.tif 000005
【図４】
2010126939.tif 000006
【図５】
2010126939.tif 000007
【図６】
2010126939.tif 000008